(57)【要約】【課題】フィルターの掃除を自動的に行うようにしたフィルター掃除装置を有する空気調和機において、フィルター掃除装置に不具合が生じている状態でフィルター掃除を続けることなく、不具合を自動的に検知し、ユーザーにお知らせすることが可能である空気調和機のフィルター掃除制御装置を提供する。【解決手段】左右吸入ノズル検出手段を設け、左右吸入ノズル検出手段が同時に検出した際には少なくともひとつの検知手段に不具合があることを検知し、右（左）吸入ノズル検出手段で検出している状態から左（右）に移動し、 左（右）吸入ノズル検出手段が検知するまでの時間により吸入ノズルの移動に不具合が生じたことを検知し、不具合を告知する不具合告知手段を有することにより、フィルター掃除装置に不具合が生じている状態でフィルター掃除を続けることなく、不具合を自動的に検知し、ユーザーに告知することが可能となる。【選択図】図１
2006132836.tif 000002
【特許請求の範囲】
【請求項１】
空気調和機本体内部の、熱交換器と空気吸入口との間にフィルター掃除装置を設け、前記フィルター掃除装置にフィルター枠と、フィルターと、移動可能な吸入ノズルを設け、前記吸入ノズルに吸い込みダクトを設け、さらに前記吸い込みダクトに連結する吸引排気装置設け、前記フィルター枠の左端に左吸入ノズル検出手段と前記フィルター枠の右端に右吸入ノズル検出手段を設け、前記吸入ノズルの移動を制御するフィルター掃除制御手段を有することを特徴とした空気調和機の制御装置。
【請求項２】
フィルター掃除制御手段は、右吸入ノズル検出手段の信号を検出した場合は吸入ノズルがフィルター枠の右端に存在すると検知し、前記左吸入ノズル検出手段が検出した場合は前記吸入ノズルが前記フィルター枠の左端に存在すると検知し、前記右吸入ノズル検出手段と前記左吸入ノズル検出手段が共に検出しない場合は前記吸入ノズルが前記フィルター枠上を移動していることを検知することを特徴とする、請求項１記載の空気調和機の制御装置。
【請求項３】
フィルター掃除制御手段は、右吸入ノズル検出手段の信号と左吸入ノズル検出手段の信号を共に検出した場合は前記右吸入ノズル検出手段と前記左吸入ノズル検出手段の少なくともひとつの検知手段に不具合があることを検知することを特徴とする、請求項１もしくは請求項２記載の空気調和機の制御装置。
【請求項４】
フィルター掃除制御手段は、右吸入ノズル検出手段と左吸入ノズル検出手段の少なくともひとつの検知手段の不具合を検知した際には、前記フィルター掃除装置の動作を停止することを特徴とする、請求項１〜３のいずれかに記載の空気調和機の制御装置。
【請求項５】
フィルター掃除制御手段は、右吸入ノズル検出手段と左吸入ノズル検出手段の少なくともひとつの検知手段の不具合を検知した際には、前記検出手段の不具合を告知する吸入ノズル検出手段不具合告知手段を有することを特徴とする、請求項１〜４のいずれかに記載の空気調和機の制御装置。
【請求項６】
フィルター掃除制御手段は、吸入ノズルが移動している時間を計時する吸入ノズル移動計時手段を有することを特徴とする、請求項１〜５のいずれかに記載の空気調和機の制御装置。
【請求項７】
フィルター掃除制御手段は、吸入ノズル移動計時手段により計時した結果、吸入ノズルが一方の吸入ノズル検出手段から離れ、その吸入ノズル検出手段が信号を出力しなくなった時から、前記吸入ノズルが移動し、前記他方の吸入ノズルが信号を出力するまでの時間が、あらかじめ設定されている時間以上になった場合、前記吸入ノズルの移動に不具合が生じたことを検知することを特徴とする、請求項１〜６のいずれかに記載の空気調和機の制御装置。
【請求項８】
フィルター掃除制御手段は、前記吸入ノズル計時手段により計時した結果、吸入ノズルが右吸入ノズル検出手段から離れ、右吸入ノズル検出手段が信号を出力しなくなった時から、前記吸入ノズルが左に移動し、左吸入ノズル検出手段が信号を出力するまでの時間が、あらかじめ設定されている時間以上になった場合には、前記吸入ノズルを右側に移動し、前記右吸入ノズル検出手段が信号を出力している時間があらかじめ設定されている時間以上になった場合には、前記吸入ノズルの移動に不具合が生じたことを検知し、また前記吸入ノズル計時手段により計時した結果、吸入ノズルが左吸入ノズル検出手段から離れ、、前記左吸入ノズル検出手段が信号を出力しなくなった時から、前記吸入ノズルが右に移動し、前記右吸入ノズル検出手段が信号を出力するまでの時間が、あらかじめ設定されてい
る時間以上になった場合には、前記吸入ノズルを左側に移動し、前記左吸入ノズル検出手段が信号を出力している時間があらかじめ設定されている時間以上になった場合には、前記吸入ノズルの移動に不具合が生じたことを検知することを特徴とする、請求項１〜７のいずれかに記載の空気調和機の制御装置。
【請求項９】
フィルター掃除制御手段は、吸入ノズル計時手段により計時した結果、吸入ノズルが右吸入ノズル検出手段から離れ、右吸入ノズル検出手段が信号を出力しなくなった時から、前記吸入ノズルが左に移動し、前記左吸入ノズル検出手段が信号を出力するまでの時間が、あらかじめ設定されている時間以上になった場合には、前記吸入ノズルをあらかじめ設定している時間右側に移動後、左に移動し、前記吸入ノズルの移動に不具合が生じたことを検知し、また吸入ノズルが左吸入ノズル検出手段から離れ、左吸入ノズル検出手段が信号を出力しなくなった時から、前記吸入ノズルが右に移動し、前記右吸入ノズル検出手段が信号を出力するまでの時間が、あらかじめ設定されている時間以上になった場合には、前記吸入ノズルをあらかじめ設定している時間左側に移動後、右に移動し、前記吸入ノズルの移動に不具合が生じたことを検知することを特徴とする、請求項１〜８のいずれかに記載の空気調和機の制御装置。
【請求項１０】
フィルター掃除制御手段は、前記吸入ノズルの移動に不具合を検知した際には、前記フィルター掃除装置の動作を停止することを特徴とする、請求項１〜９のいずれかに記載の空気調和機の制御装置。
【請求項１１】
フィルター掃除制御手段は、前記吸入ノズルの移動に不具合を検知した際には、吸入ノズルの移動不具合を告知する吸入ノズル移動不具合告知手段を有することを特徴とする、請求項１〜１０のいずれかに記載の空気調和機の制御装置。
【発明の詳細な説明】
【技術分野】
【０００１】
本発明は、フィルターの掃除を自動的に行うようにしたフィルター掃除装置を有する空気調和機の制御装置に関するものであり、より詳しくはフィルター掃除装置に不具合が生じた事を自動的に検知し、ユーザーに告知することができる空気調和機に関するものである。
【背景技術】
【０００２】
従来の空気調和機の制御装置は、フィルターに付着した塵埃をブラシにより定期的に清掃する自動清掃装置が考案されている（例えば、特許文献１参照）。
【特許文献１】特開平６−７４５２１号公報
【発明の開示】
【発明が解決しようとする課題】
【０００３】
しかしながら、上記従来技術はブラシにより塵埃を掃きとる構成であり、ブラシに塵埃が絡みつくため、定期的にブラシについた塵埃を清掃しなければならなかった。
【０００４】
したがって、フィルターの自動掃除装置として好ましいのはフィルターに付着した塵埃をフィルター全面を移動可能な吸入ノズルにて吸引清掃する方法が好ましい。
【０００５】
しかし、フィルター全面を移動可能な吸入ノズルにて吸引掃除する方法においては、吸入ノズルがフィルター全面分を吸引掃除したことを判断するには、吸入ノズルの移動速度と移動長即ちフィルター全長より求めた時間によればよいが、吸入ノズルが移動中に不具合を起こし、移動速度に変化が生じた場合はフィルター全面を掃除することが出来なかった。
【０００６】
本発明は、前記従来の課題を解決するためのもので、フィルターの掃除を自動的に行うようにしたフィルター掃除装置を有する空気調和機において、フィルター掃除装置に不具合が生じている状態でフィルター掃除を続けることなく、不具合を自動的に検知し、ユーザーに告知するようにする空気調和機を提供することを目的とする。
【課題を解決するための手段】
【０００７】
上記従来の課題を解決するため本発明は、空気調和機本体内部の、熱交換器と空気吸入口との間にフィルター掃除装置を設け、前記フィルター掃除装置にフィルター枠と、フィルターと、移動可能な吸入ノズルを設け、前記吸入ノズルに吸い込みダクトを設け、さらに前記吸い込みダクトに連結する吸引排気装置設け、前記フィルター枠の左端に左吸入ノズル検出手段と前記フィルター枠の右端に右吸入ノズル検出手段を設け、前記吸入ノズルの移動を制御するフィルター掃除制御手段を有するものである。
【０００８】
また、本発明は、フィルター掃除制御手段は、右吸入ノズル検出手段の信号を検出した場合は吸入ノズルがフィルター枠の右端に存在すると検知し、前記左吸入ノズル検出手段が検出した場合は前記吸入ノズルが前記フィルター枠の左端に存在すると検知し、前記右吸入ノズル検出手段と前記左吸入ノズル検出手段が共に検出しない場合は前記吸入ノズルが前記フィルター枠上を移動していることを検知するものである。
【０００９】
また、本発明は、フィルター掃除制御手段は、右吸入ノズル検出手段の信号と左吸入ノズル検出手段の信号を共に検出した場合は前記右吸入ノズル検出手段と前記左吸入ノズル検出手段の少なくともひとつの検知手段に不具合があることを検知するものである。
【００１０】
また、本発明は、フィルター掃除制御手段は、右吸入ノズル検出手段と左吸入ノズル検出手段の少なくともひとつの検知手段の不具合を検知した際には、前記フィルター掃除装置の動作を停止するものである。
【００１１】
また、本発明は、フィルター掃除制御手段は、右吸入ノズル検出手段と左吸入ノズル検出手段の少なくともひとつの検知手段の不具合を検知した際には、前記検出手段の不具合を告知する吸入ノズル検出手段不具合告知手段を有するものである。
【００１２】
また、本発明は、フィルター掃除制御手段は、吸入ノズルが移動している時間を計時する吸入ノズル移動計時手段を有するものである。
【００１３】
また、本発明は、フィルター掃除制御手段は、吸入ノズル移動計時手段により計時した結果、吸入ノズルが一方の吸入ノズル検出手段から離れ、その吸入ノズル検出手段が信号を出力しなくなった時から、前記吸入ノズルが移動し、前記他方の吸入ノズルが信号を出力するまでの時間が、あらかじめ設定されている時間以上になった場合、前記吸入ノズルの移動に不具合が生じたことを検知するものである。
【００１４】
また、本発明は、フィルター掃除制御手段は、前記吸入ノズル計時手段により計時した結果、吸入ノズルが右吸入ノズル検出手段から離れ、右吸入ノズル検出手段が信号を出力しなくなった時から、前記吸入ノズルが左に移動し、左吸入ノズル検出手段が信号を出力するまでの時間が、あらかじめ設定されている時間以上になった場合には、前記吸入ノズルを右側に移動し、前記右吸入ノズル検出手段が信号を出力している時間があらかじめ設定されている時間以上になった場合には、前記吸入ノズルの移動に不具合が生じたことを検知し、また前記吸入ノズル計時手段により計時した結果、吸入ノズルが左吸入ノズル検出手段から離れ、、前記左吸入ノズル検出手段が信号を出力しなくなった時から、前記吸入ノズルが右に移動し、前記右吸入ノズル検出手段が信号を出力するまでの時間が、あらかじめ設定されている時間以上になった場合には、前記吸入ノズルを左側に移動し、前記左吸入ノズル検出手段が信号を出力している時間があらかじめ設定されている時間以上になった場合には、前記吸入ノズルの移動に不具合が生じたことを検知するものである。
【００１５】
また、本発明は、フィルター掃除制御手段は、吸入ノズル計時手段により計時した結果、吸入ノズルが右吸入ノズル検出手段から離れ、右吸入ノズル検出手段が信号を出力しなくなった時から、前記吸入ノズルが左に移動し、前記左吸入ノズル検出手段が信号を出力するまでの時間が、あらかじめ設定されている時間以上になった場合には、前記吸入ノズルをあらかじめ設定している時間右側に移動後、左に移動し、前記吸入ノズルの移動に不具合が生じたことを検知し、また吸入ノズルが左吸入ノズル検出手段から離れ、左吸入ノズル検出手段が信号を出力しなくなった時から、前記吸入ノズルが右に移動し、前記右吸入ノズル検出手段が信号を出力するまでの時間が、あらかじめ設定されている時間以上になった場合には、前記吸入ノズルをあらかじめ設定している時間左側に移動後、右に移動し、前記吸入ノズルの移動に不具合が生じたことを検知するものである。
【００１６】
また、本発明は、フィルター掃除制御手段は、前記吸入ノズルの移動に不具合を検知した際には、前記フィルター掃除装置の動作を停止するものである。
【００１７】
また本発明は、フィルター掃除制御手段は、前記吸入ノズルの移動に不具合を検知した際には、吸入ノズルの移動不具合を告知する吸入ノズル移動不具合告知手段を有するものである。
【発明の効果】
【００１８】
本発明の空気調和機のフィルター掃除制御装置は、フィルターの掃除を自動的に行うようにしたフィルター掃除装置に不具合が生じた事を自動的に検知し、ユーザーに告知することができる。
【発明を実施するための最良の形態】
【００１９】
第１の発明は、空気調和機本体内部の、熱交換器と空気吸入口との間にフィルター掃除装置を設け、前記フィルター掃除装置にフィルター枠と、フィルターと、移動可能な吸入ノズルを設け、前記吸入ノズルに吸い込みダクトを設け、さらに前記吸い込みダクトに連結する吸引排気装置設け、前記フィルター枠の左端に左吸入ノズル検出手段と前記フィルター枠の右端に右吸入ノズル検出手段を設け、前記吸入ノズルの移動を制御するフィルター掃除制御手段を有するものである。
【００２０】
第２の発明は、特に第１の発明の、右吸入ノズル検出手段の信号を検出した場合は吸入ノズルがフィルター枠の右端に存在すると検知し、前記左吸入ノズル検出手段が検出した場合は前記吸入ノズルが前記フィルター枠の左端に存在すると検知し、前記右吸入ノズル検出手段と前記左吸入ノズル検出手段が共に検出しない場合は前記吸入ノズルが前記フィルター枠上を移動していることを検知するものである。
【００２１】
第３の発明は、特に第１〜２の発明の、右吸入ノズル検出手段の信号と左吸入ノズル検出手段の信号を共に検出した場合は前記右吸入ノズル検出手段と前記左吸入ノズル検出手段の少なくともひとつの検知手段に不具合があることを検知するものである。
【００２２】
第４の発明は、特に第１〜３の発明の、右吸入ノズル検出手段と左吸入ノズル検出手段の少なくともひとつの検知手段の不具合を検知した際には、前記フィルター掃除装置の動作を停止するものである。
【００２３】
第５の発明は、特に第１〜４の発明の、右吸入ノズル検出手段と左吸入ノズル検出手段の少なくともひとつの検知手段の不具合を検知した際には、前記検出手段の不具合を告知する吸入ノズル検出手段不具合告知手段を有するものである。
【００２４】
第６の発明は、特に第１〜５の発明の、吸入ノズルが移動している時間を計時する吸入ノズル移動計時手段を有するものである。
【００２５】
第７の発明は、特に第１〜６の発明の、吸入ノズル移動計時手段により計時した結果、吸入ノズルが一方の吸入ノズル検出手段から離れ、その吸入ノズル検出手段が信号を出力しなくなった時から、前記吸入ノズルが移動し、前記他方の吸入ノズルが信号を出力するまでの時間が、あらかじめ設定されている時間以上になった場合、前記吸入ノズルの移動に不具合が生じたことを検知するものである。
【００２６】
第８の発明は、特に第１〜７の発明の、前記吸入ノズル計時手段により計時した結果、吸入ノズルが右吸入ノズル検出手段から離れ、右吸入ノズル検出手段が信号を出力しなくなった時から、前記吸入ノズルが左に移動し、左吸入ノズル検出手段が信号を出力するまでの時間が、あらかじめ設定されている時間以上になった場合には、前記吸入ノズルを右側に移動し、前記右吸入ノズル検出手段が信号を出力している時間があらかじめ設定されている時間以上になった場合には、前記吸入ノズルの移動に不具合が生じたことを検知し、また前記吸入ノズル計時手段により計時した結果、吸入ノズルが左吸入ノズル検出手段から離れ、、前記左吸入ノズル検出手段が信号を出力しなくなった時から、前記吸入ノズルが右に移動し、前記右吸入ノズル検出手段が信号を出力するまでの時間が、あらかじめ設定されている時間以上になった場合には、前記吸入ノズルを左側に移動し、前記左吸入ノズル検出手段が信号を出力している時間があらかじめ設定されている時間以上になった
場合には、前記吸入ノズルの移動に不具合が生じたことを検知するものである。
【００２７】
第９の発明は、特に第１〜８の発明の、吸入ノズル計時手段により計時した結果、吸入ノズルが右吸入ノズル検出手段から離れ、右吸入ノズル検出手段が信号を出力しなくなった時から、前記吸入ノズルが左に移動し、前記左吸入ノズル検出手段が信号を出力するまでの時間が、あらかじめ設定されている時間以上になった場合には、前記吸入ノズルをあらかじめ設定している時間右側に移動後、左に移動し、前記吸入ノズルの移動に不具合が生じたことを検知し、また吸入ノズルが左吸入ノズル検出手段から離れ、左吸入ノズル検出手段が信号を出力しなくなった時から、前記吸入ノズルが右に移動し、前記右吸入ノズル検出手段が信号を出力するまでの時間が、あらかじめ設定されている時間以上になった場合には、前記吸入ノズルをあらかじめ設定している時間左側に移動後、右に移動し、前記吸入ノズルの移動に不具合が生じたことを検知するものである。
【００２８】
第１０の発明は、特に第１〜９の発明の、前記吸入ノズルの移動に不具合を検知した際には、前記フィルター掃除装置の動作を停止するものである。
【００２９】
第１１の発明は、特に第１〜１０の発明の、前記吸入ノズルの移動に不具合を検知した際には、吸入ノズルの移動不具合を告知する吸入ノズル移動不具合告知手段を有するものである。
【００３０】
以下、本発明の実施の形態について、図面を参照しながら説明する。なお、この実施の形態によって本発明が限定されるものではない。
【００３１】
（実施の形態１）
本実施形態のフィルター掃除装置を図２に示す。図示されない空調機の室内機の熱交換器と吸入口の間に配置されているフィルター掃除装置１は、フィルター枠２とフィルター枠２に装着されるフィルター３とフィルター３により集塵された塵埃を掃除する吸入ノズル４と吸入ノズル４を左右に移動するための吸入ノズル稼動手段５と塵埃を吸入するための吸引排気ファン７と吸入ノズル４と吸引排気ファン７を接続する吸入ホース６と吸引排気ファン７により塵埃を屋外に排出する排気ホース８と吸入ノズル４がフィルター枠２の右端に位置することを検知する右吸入ノズル検出手段９と吸入ノズル４がフィルター枠２の左端に位置することを検知する左吸入ノズル検出手段１０とこれらのフィルター掃除装置を制御するフィルター掃除制御手段（図示されない）により構成されている。
【００３２】
次に実際の動作例について図１のフローチャート及び図２を用いて説明する。
【００３３】
Ｓ０にて吸入ノズル４がフィルター枠２の右端に有る状態からフィルター掃除を開始する。
【００３４】
このため、右吸入ノズル検出手段（ＳＷＲ）９はＯＮである。Ｓ１にて左吸入ノズル検出手段（ＳＷＬ）１０がＯＮの場合は、右吸入ノズル検出手段９もしくは左吸入ノズル検出手段１０の少なくとも1つは不具合が発生している（Ｓ２）ため、不具合内容告知手段（図示されていない）にて告知を行い（Ｓ３）運転を終了する。
【００３５】
また、Ｓ１にて左吸入ノズル検出手段（ＳＷＬ）がＯＦＦの場合は、吸入ノズル４を左に移動（Ｓ４）し吸引掃除を行う。
【００３６】
吸入ノズル左移動時間（ＴＬ）が１３０秒以内に左吸入ノズル検出手段（ＳＷＬ）１０がＯＮにならない場合（Ｓ５）は吸入ノズル４を５秒間右に移動(Ｓ６)し、再度吸入ノズル４を左に移動（ＴＬ＝０）する(Ｓ７)。
【００３７】
Ｓ８で再度吸入ノズル左移動時間（ＴＬ）が１３０秒以内に左吸入ノズル検出手段(ＳＷＬ)１０がＯＮにならない場合は、吸入ノズルの移動に何らかの不具合が発生（Ｓ９）しているため、不具合告知手段にて告知を行い（Ｓ１０）運転を終了する。
【００３８】
Ｓ６〜Ｓ８で一旦右に移動し、左に移動することで簡単な引っ掛かりなどが解消し、掃除を行うことが可能となるため、不必要な不具合告知を行わなくなる。
【００３９】
次にＳ5で吸入ノズル左移動時間（ＴＬ）が１３０秒以内に左吸入ノズル検出手段（ＳＷＬ）１０がＯＮの場合、Ｓ１１にて右吸入ノズル検出手段（ＳＷＲ）９がＯＮの場合はＳ２に移る。
【００４０】
右吸入ノズル検出手段(ＳＷＲ)９がＯＦＦの場合は異常なく左端に吸入ノズル４が到達しているため、右に吸入ノズル４を移動（Ｓ１２）し、吸引掃除を行う。
【００４１】
次に吸入ノズル右移動時間（ＴＲ）が１３０秒以内に右吸入ノズル検出手段（ＳＷＲ）１０がＯＮにならない場合（Ｓ１３）は吸入ノズル４を５秒間左に移動(Ｓ１４)し、再度吸入ノズル４を右に移動（ＴＲ＝０）する(Ｓ１５)。
【００４２】
Ｓ１６で再度吸入ノズル右移動時間（ＴＲ）が１３０秒以内に右吸入ノズル検出手段（ＳＷＲ）１０がＯＮにならない場合は、Ｓ９に移る。
【００４３】
Ｓ１４〜Ｓ１６で一旦左に移動し、右に移動することで簡単な引っ掛かりなどが解消し、掃除を行うことが可能となるため、不必要な不具合告知を行わなくなる。
【００４４】
次にＳ１３で吸入ノズル右移動時間（ＴＲ）が１３０秒以内に右吸入ノズル検出手段（ＳＷＲ）９がＯＮの場合、Ｓ１７にて左吸入ノズル検出手段１０がＯＮの場合はＳ２に移る。
【００４５】
左吸入ノズル検出手段(ＳＷＬ)１０がＯＦＦの場合は異常なく右端に吸入ノズル４が到達しているため運転を終了する。
【００４６】
この動作を少なくとも１回繰り返すことでフィルター３の全面の吸引掃除を完了する。
【００４７】
このような制御を行うことで、左右の吸入ノズル検出手段の不具合や吸入ノズルの移動不具合を自動的に検知が可能となり、不具合が生じている状態でフィルター掃除を続けることなく、さらにユーザーに不具合が生じていることを告知することが可能である。
【産業上の利用可能性】
【００４８】
以上のように、本発明にかかるフィルターの掃除を自動的に行うようにしたフィルター掃除装置を有する空気調和機のフィルター掃除装置に不具合が生じた事を自動的に検知し、ユーザーにお知らせすることが可能となるため、空気調和機などフィルター掃除を自動的に行う機器に適用可能である。
【図面の簡単な説明】
【００４９】
【図１】本発明の実施の形態を示すフローチャート
【図２】本発明の実施の形態を示すシステム構成図
【符号の説明】
【００５０】
１  フィルター掃除装置
２  フィルター枠
３  フィルター
４  吸入ノズル
５  吸入ノズル稼動手段
６  吸入ホース
７  排塵ファン
８  排気ホース
９  右吸入ノズル検出手段
１０  左吸入ノズル検出手段
【図１】
2006132836.tif 000003
【図２】
2006132836.tif 000004